(57)【要約】透湿性あるいは有孔の中物芯(14,114)を備えている少なくとも１つの透湿性あるいは有孔の部分(13,113)がある少なくとも１つの荷重支承用第１構成要素(12,112)と、この第１構成要素(12,112)の下方の大部分に配置されており、表面に接地体(20,120)が設けられた少なくとも１つの第２構成要素(19,119)とを備えてなり、この第２構成要素(19,119)は、第１構成要素(12,112) の実質的に透湿性あるいは有孔の部分(13,113)において貫通孔を有している靴用の防水性・通気性底革。透湿性あるいは有孔の部分(13,113)の下方であって接地体(20,120)の上方には、不透水性かつ蒸気透過性である材料から作られた薄膜(21,121)が設けられている。第１構成要素(12,112)はプラスチック製中物(15,115)によって構成され、その最も外側の周縁部分(16,116)は、底革(11,111)が甲革に接合されたときに目に触れる。中物(15,115)は、接地体(20,120)を設ける前に型成形することによって、薄膜(21,121)および中物芯(14,114)へ固定状に接合されている。単一の周縁密封部が、薄膜(21,121)の上に設けられ、また、中物(15,115)の型成形によって形成されており、中物(15,115)は薄膜(21,121)を周縁で取り囲んでいる。
2009538646.tif 000002
【特許請求の範囲】
【請求項１】
靴用の防水性・通気性底革であって、
透湿性あるいは有孔の中物芯(14,114,314)を備えている少なくとも１つの透湿性あるいは有孔の部分(13,113)がある少なくとも１つの荷重支承用第１構成要素(12,112)と、
表面に接地体(20,120)が設けられ、実質的に前記第１構成要素の前記少なくとも１つの透湿性あるいは有孔の部分(13,113)において貫通孔を有し、前記第１構成要素(12,112)の下方の大部分に配置されている少なくとも１つの第２構成要素(19,119)と
を備えてなり、
前記透湿性あるいは有孔の部分(13,113)の下方であって前記接地体(20,120)の上方に、不透水性かつ蒸気透過性である材料から作られた薄膜(21,121,321)があり、
前記少なくとも１つの第１構成要素(12,112)は、プラスチック材料から作られた中物(15,115)からなり、その最も外側の周縁部分(16,116)は、この底革(11,111)が甲革に接合されたときに目に触れるものであり、前記中物(15,115)は、前記接地体(20,120)を設ける前に、型成形によって前記薄膜(21,121,321)および前記中物芯(14,114,314)へ固定状にあるいは関節状に接合され、単一の周縁密封部が、前記薄膜(21,121,321)の上に設けられ、また、前記中物(15,115)の型成形によって形成されており、前記中物(15,115)は、前記薄膜(21,121,321)を周縁で取り囲んでいる
ことを特徴とする底革。
【請求項２】
前記中物(15)は、金型の中における射出成形によって、前記薄膜(21,321) および前記中物芯(14,314)へ固定状に接合されていることを特徴とする請求項１に記載の底革。
【請求項３】
前記中物(115)は、金型の中への注入によって、前記薄膜(121)および前記中物芯(114)へ固定状に接合されていることを特徴とする請求項１に記載の底革。
【請求項４】
前記薄膜(21,121,321)は、前記中物芯(14,114,314)の全拡張部分よりも大きいことを特徴とする請求項１に記載の底革。
【請求項５】
前記薄膜(21,121,321)の下方に、前記薄膜(21,121,321)のための少なくとも１つの透湿性あるいは有孔の保護要素(23,123,323)があることを特徴とする請求項４に記載の底革。
【請求項６】
前記保護要素(23,123,323)は、前記中物(15,115)を型成形するための工程の前にスポット接着によって前記薄膜(21,121,321)へ接合されていることを特徴とする請求項５に記載の底革。
【請求項７】
前記中物(15,115)を型成形するための工程の前に前記接地体(20,120)へ接合された透湿性あるいは有孔の付加的保護要素を備えていることを特徴とする請求項６に記載の底革。
【請求項８】
前記中物(15)は、前記接地体(20)と相まって、前記接地体(20)の互いに離れた部分どうしの間に配置された副接地体(20a)を形成していることを特徴とする請求項１〜７のいずれか１つに記載の底革。
【請求項９】
前記接地体(20)に、関節状に連結された周縁要素(24)が設けられていることを特徴とする請求項１〜８のいずれか１つに記載の底革。
【請求項１０】
前記関節状に連結された周縁要素(24)は、前記中物(15)の外側周縁部分において側面に沿って立ち上がっていることを特徴とする請求項９に記載の底革。
【請求項１１】
内側ライニング(30,330)と透湿性あるいは有孔の中底(18,318)とがある甲革(17,317)を備えてなり、これらは、請求項１〜１０のいずれか１つに記載の底革(11)と接合され、前記底革(11)の前記中物(15)は、金型の中における射出成形によって、前記甲革へ固定状に接合されていることを特徴とする靴。
【請求項１２】
完全に防水性であることを特徴とする請求項１１に記載の靴。
【請求項１３】
前記ライニング(330)は、防水性・透湿性薄膜へ外側で接合され、かつ、前記中底(318)の下方に接合されており、前記ライニングは、前記透湿性甲革(317)によって外側で被覆されており、防水性材料からなるテープ(333)が、前記ライニング(330)と前記中底(318)との間の接合領域に関して外側で接着剤により接合されており、前記甲革(317)は、前記テープ(333)の上に接着剤により接合されていることを特徴とする請求項１２に記載の靴。
【請求項１４】
対応する中底(18,318)およびライニング(30,330)に接合された甲革(17,317)を、甲革に関する直接射出成形のための靴型(26)に装着する工程と、
上方から下方へかけて、透湿性あるいは有孔の中物芯(14,314)、不透水性かつ蒸気透過性である材料から作られた薄膜(21,321)、およびこれまた透湿性あるいは有孔であって下部金型部品(27)に接している保護要素(23,323)が順に形成された集成体(28)を、前記下部金型部品(27)の表面に当てがう工程と、
前記集成体(28)を前記下部金型部品(27)に押し付けるために、前記金型(25)を上方領域において前記靴型(26)によって塞ぐ工程と、
前記甲革(17,317)の表面に付加される中物(15)を形成するために、プラスチック材料を射出し、この射出によって、前記薄膜(21,321)の周りに密封部を形成する工程と、
貫通孔が設けられた予備成形ずみ接地体(20)を前記中物(15)へ接着剤により接合する工程とからなっている、防水性・通気性底革が備わった靴の製造方法。
【請求項１５】
接着剤が、前記下部金型部品(27)への一時的接着のために、前記保護要素(23,323)に施されることを特徴とする請求項１４に記載の方法。
【請求項１６】
前記接着剤は、低温で再活性化される粉末から構成されていることを特徴とする請求項１５に記載の方法。
【請求項１７】
前記の対応する中底(318)とライニング(330)とが接合された前記甲革(317)を、甲革に関する直接射出成形のための靴型に組み付ける工程の前に、
前記ライニング(330)は、集成体の靴型に装着され、その外側で、前記ライニング(330)は、不透水性かつ蒸気透過性である材料から作られた付加的薄膜(331)へ接合され、前記ライニングは、前記中底(318)へ接合され、
接着剤が、前記中底(318)と前記ライニング(330)との間における結合領域の近傍に塗布され、
不浸透性テープ(333)が、前記接着剤へ当てがわれ、接着剤は、前記テープの両面に施され、
前記甲革(317)は、前記テープ(333)へ接着剤により接合するために作られる
工程があることを特徴とする請求項１４〜１６のいずれか１つに記載の方法。
【請求項１８】
上方から下方へかけて、透湿性あるいは有孔の中物芯(114)、不透水性かつ蒸気透過性である材料から作られた薄膜(121)、および同様に透湿性あるいは有孔であって下部金型部品(127)に接している保護要素(123)が順に形成された集成体(128)を、前記下部金型部品(127)の表面に当てがう工程と、
前記集成体(128)を前記下部金型部品(127)に押し付けるために、前記金型(125)を上方領域において疑似靴型(126)によって塞ぐ工程と、
前記薄膜(121)の周りに密封部を形成する中物(115)を形成するために、プラスチック材料を導入する工程と、
貫通孔が設けられた予備成形ずみ接地体(120)を前記中物(115)へ接着剤により接合する工程と
からなっている、防水性・通気性底革の製造方法。
【請求項１９】
前記中物(115)は、プラスチック材料を射出成形することによって形成されることを特徴とする請求項１８に記載の方法。
【請求項２０】
前記中物(115)は、プラスチック材料を金型の中に注入することによって形成されることを特徴とする請求項１８に記載の方法。
【請求項２１】
接着剤が、前記下部金型部品への一時的接着のために、前記保護要素(123)に施されることを特徴とする請求項１９または２０に記載の方法。
【請求項２２】
前記接着剤は、低温で再活性化される粉末から構成されていることを特徴とする請求項２１に記載の方法。
【請求項２３】
対応する中底(218)およびライニング(230)に接合された甲革(217)を、甲革に関する直接射出成形のための靴型(226)に装着する工程と、
透湿性あるいは有孔の中物芯(214)を下部金型部品の表面に当てがう工程と、
前記中物芯(214)を前記下部金型部品(227)に押し付けるために、金型(225)を上方領域において前記靴型(226)によって塞ぐ工程と、
前記甲革(217)の部分に付加される中物(215)を形成するために、プラスチック材料を射出する工程と、
貫通孔が設けられた予備成形ずみ接地体(220)を前記中物(215)へ接着剤により接合し、薄膜(221)および対応する透湿性あるいは有孔の保護要素(223)が前記予備成形ずみ接地体(220)に接合される工程と
からなっている、防水性・通気性底革が備わった靴の製造方法。
【請求項２４】
接着剤が、前記下部金型部品(227)への一時的接着のために、前記中物芯(214)の上に存在していることを特徴とする請求項２３に記載の方法。
【請求項２５】
前記接着剤は、低温で再活性化される粉末から構成されていることを特徴とする請求項２４に記載の方法。
【請求項２６】
前記の対応する中底とライニングとが接合された前記甲革を、甲革に関する直接射出成形のための靴型に組み付ける工程の前に、
前記ライニングは、集成体の靴型に装着され、その外側で、前記ライニングは、不透水性かつ蒸気透過性である材料から作られた付加的薄膜へ接合され、前記ライニングは、前記中底へ接合され、
接着剤が、前記中底と前記ライニングとを結合するための領域の周りに塗布され、
両面に接着剤が存在している不浸透性テープが、前記接着剤へ当てがわれ、
前記甲革は、前記テープへ接着剤により接合するために作られる
工程が設けられていることを特徴とする請求項２３〜２５のいずれか１つに記載の方法。
【発明の詳細な説明】
【技術分野】
【０００１】
この発明は、靴用の透湿性・防水性底革に関するものである。この発明はまた、そのような底革で設けられた靴、そのような底革および対応する靴の双方の製造方法に関するものでもある。
【背景技術】
【０００２】
靴の内側における足の発汗に関する問題点は知られている。足の発汗のほとんどは足の裏と靴の底革（ｓｏｌｅ）との界面で起きること、そこに生じる汗は蒸発することができず、足が載せられる足底インサートの上で凝縮すること、その汗の最小限の一部だけが甲革（ｕｐｐｅｒ）を通して蒸発することは、広く知られている。
【０００３】
この現象は、ゴム製底革の備わった靴において特に感じられ、この場合には、底革を介する蒸気透過性が完全に妨げられる。
【０００４】
この問題点に対する解決法は、同一の出願人による、米国特許第５０４４０９６号およびヨーロッパ特許第０３８２９０４号に開示されたそれのような透湿性・防水性底革によってもたらされており、その解決法は、ゴム製底革を貫通孔のある２つの層に分割し、不透水性かつ蒸気透過性の薄膜（ｍｅｍｂｒａｎｅ）を介在させ、水が浸透できないようにこれら２つの層を周縁部で密封状に接合することからなっている。
【０００５】
その後の改良では、保護材料および中物芯（ｆｉｌｌｅｒ）からなる透湿性あるいは有孔の層どうしの間に透湿性薄膜を介在させてきた。防水性・透湿性薄膜が設けられたこのような有孔の底革は、それ以前に入手可能であったものに対して、構成された顕著な新機軸を確かに有している。
【０００６】
これに関連して、直接射出成形のための靴型に装着された防水性・透湿性甲革の上に直接射出された防水性・透湿性底革が備わっている防水性・透湿性靴を設けることは知られている。
【０００７】
この製造方法によれば、孔が設けられた第１の下方接地要素（ｌｏｗｅｒ  ｔｒｅａｄ  ｅｌｅｍｅｎｔ）が第１金型の中へ導入される。次いで、この有孔の下方接地要素、この下方接地要素の上方に上記孔の箇所で配置された保護要素、およびこの保護要素の上方の防水性・透湿性薄膜が、第２金型の中へ挿入される。
【０００８】
上記薄膜の上方には透湿性中物芯があり、これには、上記薄膜の周縁面を露出させたままにしておくために、その薄膜よりも小さい拡張部分が備わっている。
【０００９】
この第２金型は、組み付けて作られた甲革の中底（ｉｎｓｏｌｅ）が上記３つの要素を下方接地要素に充分に押し付けるように、塞がれる。接地体（ｔｒｅａｄ）の第２部分を導入することで、周縁封止部が形成されて、靴の構造が一体構造になる。実際には、薄膜はこのようにして中物（ｍｉｄｓｏｌｅ）および接地体へ密封状に接合される。
【００１０】
底革へ横断状に配置されたつかみ要素を形成するように中物において外方へ立ち上がり、さらに、特定の視覚的効果、例えば接地体が中物に対して異なった色を有する保持機能を備えている、例えば翼のような関節状に連結された周縁要素が備わっている接地体を設けるための必要性が現在、感じられている。
【００１１】
この型の接地体については、接地体の上に中物をオーバーモールドすることはきわめて困難である。
【００１２】
接地体の上に中物を射出成形する間に、関節状に連結された周縁要素は実際には立ち上がりやすく、正確なオーバーモールド加工を行うことは事実上、不可能になる。
【発明の概要】
【発明が解決しようとする課題】
【００１３】
この発明の目標は、公知の底革において注目された上記問題点を解決する、透湿性あるいは「通気性」かつ防水性の靴用底革を提供することである。
【００１４】
この目標の範囲内で、この発明の１つの目的は、水の浸透に対する優れた障壁を保証するとともに、関節状に連結された周縁要素が設けられた接地体を有する透湿性・防水性底革の備わっている靴を提供することにある。
【００１５】
この発明の別の目的は、透湿性・防水性底革の製造方法と、関節状に連結された周縁要素を有する接地体が設けられた透湿性・防水性底革の備わっている靴の製造方法とを提供することである。
【００１６】
この発明の別の目的は、透湿性・防水性底革の製造方法と、防水性を保証する薄膜に優れた周縁密封部がある透湿性・防水性底革の備わっている靴の製造方法とを提供することである。
【００１７】
この発明の別の目的は、そのコストが公知の透湿性靴のコストに対して競争力のある靴のための透湿性・防水性底革を提供することである。
【課題を解決するための手段】
【００１８】
この目標、これらの目的、およびこれ以降にいっそう明らかになる他の目的は、この発明による靴用の防水性・通気性底革であって、
透湿性あるいは有孔の中物芯を備えている少なくとも１つの透湿性あるいは有孔の部分がある少なくとも１つの荷重支承用第１構成要素と、
表面に接地体が設けられ、実質的に上記第１構成要素の上記少なくとも１つの透湿性あるいは有孔の部分において貫通孔を有し、上記第１構成要素の下方の大部分に配置されている少なくとも１つの第２構成要素と
を備えてなり、
上記透湿性あるいは有孔の部分の下方であって上記接地体の上方に、不透水性かつ蒸気透過性である材料から作られた薄膜があり、
上記少なくとも１つの第１構成要素は、プラスチック材料から作られた中物からなり、その最も外側の周縁部分は、この底革が甲革に接合されたときに目に触れるものであり、上記中物は、上記接地体を設ける前に、型成形によって上記薄膜および上記中物芯へ固定状にあるいは関節状に接合され、単一の周縁密封部が、上記薄膜の上に設けられ、また、上記中物の型成形によって形成されており、上記中物は、上記薄膜を周縁で取り囲んでいる
ことを特徴とする底革によって達成される。
【図面の簡単な説明】
【００１９】
この発明のさらに別の特徴および利点は、添付図面における非限定的な例によって示された、好ましいが排他的ではないその実施形態の説明からいっそう明らかになる。
【図１】図１は、この発明による靴の一部分の模式的横断面図である。
【図２】図２は、図１の靴を製造するための甲革に関する直接注入用金型の一部の模式的横断面図である。
【図３】図３は、この発明による靴の底面図である。
【図４】図４は、図３の靴の模式的側面図である。
【図５】図５は、この発明による靴のための底革を製造するように構成された射出あるいは注入用の金型の一部の模式的横断面図である。
【図６】図６は、図５の金型で設けられた底革の一部分の模式的横断面図である。
【図７】図７は、この発明による靴の代わりの実施形態を製造するための甲革に関する直接注入用金型の一部分の模式的横断面図である。
【図８】図８は、図７の金型によって設けられた靴の一部分の模式的横断面図である。
【図９】図９は、この発明による靴の別の実施形態の模式的横断面図である。
【発明を実施するための形態】
【００２０】
図１〜図４によれば、この発明による底革を使用する靴の全体が参照符号１０によって表わされている。
【００２１】
靴１０は透湿性あるいは「通気性」かつ防水性の底革（ｓｏｌｅ）１１で設けられ、その底革１１は荷重支承用第１構成要素１２を備え、この構成要素１２は、発汗が最も起きる足の前方領域に都合よく配された透湿性あるいは有孔の部分１３を有している。透湿性あるいは有孔の部分１３は、例えばフェルトのような通気性であるかあるいは孔のある中物芯（ｆｉｌｌｅｒ）１４を備えている。
【００２２】
第１構成要素１２は実際には中物（ｍｉｄｓｏｌｅ）１５であり、その最も外側の周縁部分１６は、底革１１がここでは照符号１７によって表わされた甲革（ｕｐｐｅｒ）に接合されたときに目に触れる。実際には、中物１５のこのような最も外側の周縁部分１６は、底革１１の側方部分である。甲革１７には、内側ライニング３０と透湿性あるいは有孔の中底（ｉｎｓｏｌｅ）１８とが接合されている。
【００２３】
底革１１は第２構成要素１９もまた備えており、この構成要素１９は第１構成要素１２の下方の大部分に配置され、その表面に接地体２０が設けられている。この第２構成要素１９には、実質的に透湿性あるいは有孔の部分１３に貫通孔がある。
【００２４】
図３および図４はそれぞれ、底革１１の底面図および側面図である。
【００２５】
不透水性かつ蒸気透過性である材料から作られた薄膜２１（例えば発泡ポリテトラフルオロエチレンから作られて普通に市販されている）が、透湿性あるいは有孔の部分１３の下方であって接地体２０の上方に設けられ、かつ、この薄膜の上方にあって合成材料から作られている、薄膜を支持するためのメッシュ（図示略）に積層されている。
【００２６】
薄膜２１は、スポット接着によって、フェルト、織布、不織布あるいはパイル生地、または、外部衝撃あるいは接地体２０に設けられた孔を通り抜けることがある外部物体に対して上記薄膜を保護することのできる他の透湿性材料のような透湿性あるいは有孔の保護要素２３の上方に接合されているのが好ましい。
【００２７】
薄膜２１は、保護要素２３の上に重ね合わされているとともに、実質的に保護要素２３と同一の輪郭を有している。薄膜２１は、全拡張部分に関して中物芯１４よりも大きい。言い換えれば、中物芯１４は薄膜２１よりも小さい。
【００２８】
プラスチック材料から作られた中物１５は、これ以降に説明する製造方法において説明するように、接地体２０を接着剤により接合する前に型成形することで、（上記メッシュおよび保護要素２３で）薄膜２１へ（一体に）、かつ、透湿性中物芯１４へ、固定状にあるいは関節状に結合されている。
【００２９】
好ましいのは、薄膜２１の周縁領域における中物１５の型成形によって、そのような薄膜に単一の周辺／周縁密封部が設けられることである。
【００３０】
この実施形態では、接地体２０は、中物１５の最も外側の周縁部分１６へ付着される、例えば翼のような関節状に連結された周縁部分２４を有している。
【００３１】
中物１５は、接地体２０と相まって、接地体２０の互いに離れた部分どうしの間に配置された副接地体２０ａを形成しているが、上記の互いに離れた部分は、例えば関節状に連結された周縁部分２４である。
【００３２】
靴１０の製造方法は、甲革の表面に直接射出成形するための金型を使用するものであり、この金型は参照符号２５によって全体が表わされている。
【００３３】
この方法は、対応する中底１８およびライニング３０に接合された甲革１７を、甲革に関する直接射出成形のための靴型２６に装着することからなっている。
【００３４】
参照符号２８によって全体が表わされた集成体が、下部金型部品２７の表面に当てがわれて、上方から下方へかけて、中物芯１４、（対応するメッシュが備わっている）薄膜２１、および保護要素２３が順に形成される。この集成体２８のうちの保護要素２３は下部金型部品２７に接している。
【００３５】
上記金型は、集成体２８を下部金型部品２７に押し付けるために、上方領域において靴型２６によって塞がれる。この金型は、側方リング２９によって側方で塞がれている。
【００３６】
この集成体が載せられたときの下部金型部品２７への一時的接着を保証するために、下部金型部品２７に接している保護要素２３の面に接着剤を施すことができる。この接着剤は、どのような場合にも接着力の弱いものであるが、例えば低温で再活性化される粉末から構成される。
【００３７】
下部金型部品２７の上に集成体２８を正確に位置決めするために、下部金型部品２７の表面には、保護要素２３および薄膜２１の平面の形状に従う、例えば周辺／周縁におけるわずかな切り込みのような受け部がある。
【００３８】
このようにすれば、集成体２８を上記金型の中に正確に位置決めすることができ、保護要素２３の上に施された弱い接着力の接着剤によって、正確な位置の不測の変位と薄膜２１の下方におけるプラスチック材料の浸透とを防止することができる。
【００３９】
甲革１７の下部に付加される中物１５を形成するために、金型２５が閉じられ、プラスチック材料、例えばポリウレタン材料（ＰＵ）が注入される。注入された材料は、集成体２８を取り囲み、薄膜２１の周りに、図面における参照符号によって表わされない密封部を形成する。
【００４０】
例えば熱可塑性ポリウレタン材料（ＴＰＵ）から作られた接地体２０が、別個に型成形され、次いで、公知の方法で中物１５へ接合される。好都合なことに、接地体２０には、集成体２８に対して（従って、薄膜２１に対して）接着接合領域の範囲を定める微細な周縁溝のような付加的参照箇所（図示略）を設けることができ、実際に、接地体２０におけるこの付加的参照箇所は、平面図では透湿性中物芯１４に重ね合わされていない接着接合領域の範囲を定めている。
【００４１】
実質的に類似した方法では、実質的に上記甲革へ組み付けられた底革を設けることができる。この場合において、この方法によれば、上記甲革に装着される上記靴型の代わりに、図５では参照符号１２５によって表わされた金型の閉塞体が、疑似靴型１２６のような上部金型部品でもたらされる。
【００４２】
この変形例では、プラスチック材料の注入によって得られたものを型成形することによって、あるいは、その代わりに公知の方法での射出成形によって、中物１１５を設けることができる。
【００４３】
従って、要約すれば、底革１１１だけ（図６に示された）を製造するための方法は、下部金型部品１２７の表面へ、中物芯１１４、薄膜１２１（対応するメッシュが備わった）、および保護要素１２３によって形成された集成体１２８を当てがうことからなっており、この集成体１２８のうち保護要素１２３が下部金型部品１２７に接する。
【００４４】
金型は、集成体１２８を下部金型部品１２７に押し付けるために、上方領域において、（公知の方法で）疑似靴型１２６によって塞がれ、また、この金型は、側方リング２９によって側方で塞がれている。
【００４５】
金型が塞がれると、上記中物を形成するために、プラスチック材料、例えばポリウレタン材料（ＰＵ）が導入される。このプラスチック材料の導入は、公知の方法および公知の設備で、注入によって、あるいは射出によって行うことができ、使用される技術によって設備の型（金型、射出機など）が異なることは明らかである。
【００４６】
このようなプラスチック材料の導入によって集成体１２８が取り囲まれ、上記薄膜の周りに密封部が作り出される（図示略）。
【００４７】
例えば熱可塑性ポリウレタン材料（ＴＰＵ）から作られた接地体１２０が、別個に型成形され、次いで、公知の方法で中物１１５へ接合される。
【００４８】
上記底革だけを製造する場合には、上記薄膜が含まれている上記集成体を上記金型の内部に位置決めするために接着力の弱い接着剤を使用することができ、また、上記位置決めおよび上記接地体の接着接合領域の範囲設定のために受け部を設けることができる。
【００４９】
透湿性であって不浸透性あるいは防水性の底革１１１は、先の例のように、荷重支承用第１構成要素１１２を備えており、この第１構成要素１１２は、発汗が最も起きる足の前方領域に配置されるのが好ましい有孔あるいは透湿性の部分１１３を有している。透湿性あるいは有孔の部分１１３は中物芯１１４からなっており、この中物芯１１４は、例えばフェルトのような透湿性であるかあるいは有孔である。第１構成要素１１２は実際には中物１１５であり、その最も外側の周縁部分１１６は、底革１１１が甲革に接合されたときに露出する。
【００５０】
底革１１１はまた、有孔の第２構成要素１１９も備えており、この第２構成要素１１９は、第１構成要素１１２の下方の大部分に配置されており、また、表面に接地体１２０が形成されている。
【００５１】
示されていない別の実施形態では、上記中物への組み付け工程の前に上記接地体へ接合される、上記薄膜のための付加的保護要素を使用することができる。例えば、そのような付加的保護要素は、ケブラー（Ｋｅｖｌａｒ：商標）繊維から作ることができ、また、上記接地体とともに型成形することができる。
【００５２】
上記の透湿性・防水性底革を備えた靴の上記製造方法は、中物を接地体とは別に甲革の表面に直接射出成形し、顕著な作業自由度達成するという利点を有し、また、関節状に連結された周辺／周縁要素が設けられたあるいは簡単な輪郭が設けられた、異なる型の接地体との接合に関する利点を有している。
【００５３】
図８において参照符号２００で表わされた靴についての別の製造方法によれば、予備成形ずみ接地体２２０を別に型成形して、それを、公知技術によって対応保護要素２２３へスポット接着されている薄膜２２１（対応するメッシュが備わっている）とともに接合する可能性がもたらされる。
【００５４】
例えば、接地体２２０を型成形し、次いで、それに保護要素２２３をスポット接着することが可能であり、また、薄膜２２１は、水が側方浸透できないように周縁で密封することができる。
【００５５】
甲革２１７の表面に射出成形された中物２１５の製造方法は、対応する中底２１８およびライニング２３０に接合された甲革２１７をこの甲革における直接射出成形のための靴型２２６に装着することからなっている。
【００５６】
中物芯２１４が下部金型部品２２７の表面に当てがわれる。上記金型は、中物芯２１４を下部金型部品２２７に押し付けるために、上方領域において靴型２２６によって塞がれる。この金型は、側方リング２２９によって側方で塞がれている。
【００５７】
先の例のように、中物芯２１４の上に、また、下部金型部品２２７に接する面の上に、中物芯２１４が載せられたときの下部金型部品２２７への一時的接着を保証するために、接着剤が存在していてもよい。
【００５８】
次いで、上記甲革および中物芯２１４の下部に付加される中物２１５を形成するために、プラスチック材料が注入される。薄膜２２１の備わった接地体２２０は次いで、上記甲革および上記中物によって構成された中間構成要素へ接着剤により接合される。
【００５９】
上記の靴１００および２００に関して、参照符号３００によって全体が表わされた実施形態が図９に示されており、この図は靴１００の特別な事例を示している。この靴３００は充分に防水性の型のものである。
【００６０】
甲革３１７に接合された内側ライニング３３０は実際には、上記背景技術によって、例えばイタリア特許第１３０７１５４号に開示された方法によって、防水性・蒸気透過性である材料から作られた付加的薄膜３３１へ外側で接合されている。
【００６１】
この製造方法によれば、集成体の靴型（図示略）がライニング３３０で被覆され、その継目がヒートシールによって密封されて、付加的薄膜３３１が外側でそこへ接合されている。
【００６２】
ライニング３３０は、その下方周縁で、例えば縫い合わせ継目３３２によって、透湿性あるいは有孔である中底３１８に接合される。
【００６３】
甲革３１７の上部フラップはライニング３３０の対応する上部フラップに接合される。次いで、中底３１８とライニング３３０とを接合するための縫い合わせ継目３３２の近傍に、耐加水分解型の接着剤（図示略）が塗布される。
【００６４】
不浸透性材料から作られ、かつ、耐加水分解型の接着剤がその面の双方に広げられた相補的寸法のテープ３３３が、その後、上記接着剤へ当てがわれる。接着剤の型は、「ホットメルト」として商業的に知られた型のものである。
【００６５】
結果として得られる中間構成要素は、耐加水分解型の上記接着剤を再活性化するために加熱される。次いで、接着剤が広げられたテープ３３３へ甲革３１７が接着される。
【００６６】
その後、上記中間構成要素（甲革および薄膜の備わったライニング、中底）は、上記甲革の表面に直接射出成形するための上記靴型の上へ装着され、このプロセスは、靴１００（あるいは、場合によっては靴２００）を設けるための上記方法と同一の方法で続けられる。具体的には、図９に示された事例では、中物３１５は、金型の中で、テープ３３３を完全に被覆するような程度だけ、甲革３１７の表面に、また、上方から下方へかけて、中物芯３１４、（対応するメッシュが備わっている）薄膜３２１、および保護要素３２３が順に構成された集成体３２８の表面に射出成形される。
【００６７】
このようにして、完全に防水性の靴がまた得られる。
【００６８】
実際に、このように記載されたこの発明によれば、公知の型の透湿性・防水性底革および透湿性・防水性底革を備えた靴において注目された上記問題点が解決されることがわかった。具体的には、この発明によれば、甲革の表面に射出成形された中物が設けられ、かつ、接地体の関節状に連結された露出状の周辺／周縁要素が側方に設けられた透湿性・防水性底革の備わった靴が提供される。
【００６９】
この靴の特定構成は、後に接合される上記接地体とは別に上記中物の射出成形のために都合よく設けられる特定の製造方法によって可能である。
【００７０】
都合の好いことに、この発明は、上記接地体が特定の側方輪郭を有していない場合にも適用することができ、この方法によれば、極端に柔軟である透湿性・防水性底革の備わった靴の製造が実際に可能になる。
【００７１】
都合の好いことに、このように設けられた底革は、プラスチック材料を金型の中へ注入するための技術で製造することもできる。
【００７２】
例えばフェルトのような透湿性中物芯の使用によれば、上記部分が有孔の中物要素によって占められている解決法に関して水の排出のための表面を増大させることができる。
【００７３】
このように構想されたこの発明は、そのすべてが特許請求の範囲の範囲内にある多数の改造および変更を行うことが可能であり、すべての細部は、技術的に等価な他の諸要素でさらに置き換えることができる。
【００７４】
実際に、使用された諸材料は、それらが特定の使用と両立する限り、寸法と同様に、諸要件および最新技術に従う任意のものであってよい。
【００７５】
任意の特許請求の範囲で言及された技術的特徴が参照符号に従うときには、それらの参照符号は、特許請求の範囲の理解度を増大させる目的だけのために含まれており、従って、そのような参照符号は、そのような参照符号による例によって識別されたそれぞれの要素の解釈に関するどのような制限的効果も有していない。
【図１】
2009538646.tif 000003
【図２】
2009538646.tif 000004
【図３】
2009538646.tif 000005
【図４】
2009538646.tif 000006
【図５】
2009538646.tif 000007
【図６】
2009538646.tif 000008
【図７】
2009538646.tif 000009
【図８】
2009538646.tif 000010
【図９】
2009538646.tif 000011
【国際調査報告】
2009538646.tif 000012
2009538646.tif 000013
2009538646.tif 000014
2009538646.tif 000015